(57)【要約】【課題】  コンテンツ取扱い装置（記録再生装置）の共有者の間で調和的に意思の疎通を図りながら取得したコンテンツを平等に享受し、管理することができるコンテンツ取扱い装置および方法を提供する。【解決手段】  コンテンツを記録し（１１１→１１２→１１３→１１４→１１５→１１６）、このコンテンツを選択的に再生し（１１６→１２１→１２２）、各コンテンツ毎にユーザが作成した（カメラ１６０，マイクロフォン１７０）音声・映像メッセージを対応させて記録し（１１５）、複数のコンテンツのうち一のものに対応して記録されている音声・映像メッセージを再生する（１１６→１２１→１２２）。一のユーザは、他のユーザがメッセージ記録処理で記録した音声・映像メッセージを、これの再生処理で再生して視聴し、お互いの状況等を音声・映像に基づいてリアリティーをもって認識する。【選択図】  図１
2006287671.tif 000002
【特許請求の範囲】
【請求項１】
コンテンツに対する記録および再生並びにその他の所定の取扱い操作が可能なコンテンツ取扱い装置であって、適用された情報記録媒体にコンテンツを記録させるコンテンツ記録制御部と、当該情報記録媒体に記録されたコンテンツを選択的に再生するためのコンテンツ再生制御部と、記録されたコンテンツ毎に対応させてユーザが音声と映像を含むメッセージである音声・映像メッセージを形成して記録する操作を行うための音声・映像メッセージ記録操作部と、当該情報記録媒体に記録されている複数のコンテンツのうち取り扱う対象とする一のものを特定するコンテンツ特定操作によって特定された当該一のコンテンツに対応して記録されている音声・映像メッセージを再生する操作を行うためのメッセージ再生操作部とを備え、前記メッセージ記録操作部は同一のコンテンツに対して異なる時刻に各別の音声・映像メッセージを追加的に記録可能に該当する機能部を制御するものであり、前記メッセージ再生操作部は同一のコンテンツに対応して記録されている複数の音声・映像メッセージを所定の操作に応じて順次に提示可能に該当する機能部を制御するものであることを特徴とするコンテンツ取扱い装置。
【請求項２】
前記メッセージ記録操作部は、適用された表示器の画面に、記録されたコンテンツ毎に音声・映像メッセージの記録操作を含む取扱い操作の案内表示を行うように、且つ、該案内表示に対応して実行される音声・映像メッセージの記録操作に応答して当該記録操作に係る音声・映像メッセージを当該情報記録媒体に記録するように該当する機能部を制御することを特徴とする請求項１に記載のコンテンツ取扱い装置。
【請求項３】
前記メッセージ記録操作部は、コンテンツを表すコンテンツデータと、ユーザが撮像手段によって取得した映像信号および音声信号形成手段によって取得した音声信号によって形成される音声・映像メッセージデータとを、同一の情報記録媒体に、選択的に切り換えて記録する被記録データ切換え部を備えていることを特徴とする請求項１に記載のコンテンツ取扱い装置。
【請求項４】
前記メッセージ記録操作部は、前記案内表示として、コンテンツ毎に音声・映像メッセージを記録する操作の案内表示と共に当該コンテンツの再生操作および消去操作の案内表示を行うように該当する機能部を制御することを特徴とする請求項２に記載のコンテンツ取扱い装置。
【請求項５】
前記メッセージ記録操作部は、前記案内表示として、コンテンツ毎に音声・映像メッセージを記録する操作の案内表示では、当該記録の開始前には音声・映像メッセージの記録動作開始までの時間を表示し、当該記録動作の開始後には音声・映像メッセージの記録動作終了までの時間を表示するように該当する機能部を制御することを特徴とする請求項２に記載のコンテンツ取扱い装置。
【請求項６】
前記コンテンツ再生制御部は、適用された情報記録媒体に記録されている複数のコンテンツを一画面内に夫々代表的に表示すると共に、該夫々の代表的表示毎に音声・映像メッセージの有無を付帯表示するように該当する機能部を制御することを特徴とする請求項１に記載のコンテンツ取扱い装置。
【請求項７】
適用した情報記録媒体にコンテンツを記録するコンテンツ記録処理と、当該情報記録媒体に記録したコンテンツを選択的に再生するコンテンツ再生処理と、記録したコンテンツ毎にユーザの入力操作に基づく音声と映像を含むメッセージである音声・映像メッセージを対応させて記録するメッセージ記録処理と、当該情報記録媒体に記録されている複数のコンテンツのうち取り扱う対象とする一のものを特定するコンテンツ特定操作によって特定された当該一のコンテンツに対応して記録されている音声・映像メッセージを再生するメッセージ再生処理と、の各処理を実行することを特徴とするコンテンツ取扱い方法。
【請求項８】
前記メッセージ記録処理では、同一のコンテンツに対して異なる時刻に各別の音声・映像メッセージを追加的に記録することを特徴とする請求項７に記載のコンテンツ取扱い方法。
【請求項９】
前記メッセージ再生処理では、同一のコンテンツに対応して記録されている複数の音声・映像メッセージを所定の操作に応じて順次に提示することを特徴とする請求項７に記載のコンテンツ取扱い方法。
【請求項１０】
前記メッセージ記録処理では、適用された表示器の画面に、記録されたコンテンツ毎に音声・映像メッセージの記録操作を含む取扱い操作の案内表示を行い、且つ、該案内表示に対応して実行される音声・映像メッセージの記録操作に応答して当該記録操作に係る音声・映像メッセージを当該情報記録媒体に記録することを特徴とする請求項７に記載のコンテンツ取扱い方法。
【請求項１１】
前記メッセージ記録処理では、コンテンツを表すコンテンツデータと、ユーザが撮像手段によって取得した映像信号および音声信号形成手段によって取得した音声信号によって形成される音声・映像メッセージデータとを、同一の情報記録媒体に、選択的に切り換えて記録することを特徴とする請求項７に記載のコンテンツ取扱い方法。
【請求項１２】
前記メッセージ記録処理では、前記案内表示として、コンテンツ毎に音声・映像メッセージを記録する操作の案内表示と共に当該コンテンツの再生操作および消去操作の案内表示を行うことを特徴とする請求項１０に記載のコンテンツ取扱い方法。
【請求項１３】
前記メッセージ記録処理では、コンテンツ毎に音声・映像メッセージを記録する操作の前記案内表示として、当該記録の開始前には音声・映像メッセージの記録動作開始までの時間を表示し、当該記録動作の開始後には音声・映像メッセージの記録動作終了までの時間を表示することを特徴とする請求項１０に記載のコンテンツ取扱い方法。
【請求項１４】
前記コンテンツ再生処理では、適用された情報記録媒体に記録されている複数のコンテンツを一画面内に夫々代表的に表示すると共に、該夫々の代表的表示毎に音声・映像メッセージの有無を付帯表示することを特徴とする請求項７に記載のコンテンツ取扱い方法。
【請求項１５】
前記複数の音声・映像メッセージの所定の操作に応じての順次の提示に際して、当該各順次の提示の冒頭ではメッセージ映像の先頭部分のフレームによる静止画表示を行い、ユーザによる動画表示の開始操作を俟って動画映像表示に移行する請求項９に記載のコンテンツ取扱い方法。
【発明の詳細な説明】
【技術分野】
【０００１】
本発明は、例えば放送受信部で受信する等して取得される放送等のコンテンツを記録・再生可能なＨＤＤ搭載デジタルテレビ、或いは、ＨＤＤ／ＤＶＤレコーダ等のコンテンツ取扱い装置およびこの種の装置におけるコンテンツ取扱い方法に関する。
【背景技術】
【０００２】
近年、映像コンテンツを録画・再生可能なＨＤＤ搭載デジタルテレビ、ＨＤＤ／ＤＶＤレコーダ等のデジタル機器が家庭内で共有されることが少なくない。複数人で共有した場合、録画されたコンテンツが、視聴予定者は誰も既に視聴していて消去しても支障がない状態にあるものなのか、或いは、未だ視聴していない視聴予定者が残っていて消去してしまうと支障がある状態なのか判然とせず、このため、コンテンツが長期にわたり記録媒体上に残っていて録画可能容量を圧迫するといったことが生じる。
【０００３】
このような問題に着目して、記録しているコンテンツを保存する必要がなくなったときに、自動的に消去または記録ビットレートを変換する（データの圧縮率を変えてデータ量を削減する）といった提案がなされている。この提案では、自動的に消去するときの条件を当該装置に予め設定登録しておき、例えば、複数の視聴予定者のうちの一の者にコンテンツ管理情報の設定や変更をする権利があり、該権利者たる一の者と特定の他の者とが視聴するという第一の条件と、特定の期間が満了しているといった第二の条件との双方が充足されたときには、該当する番組を直ちに自動消去する（特許文献１参照）。
【特許文献１】特開２００４−２０７９３７号公報（段落００２９、図１）
【発明の開示】
【発明が解決しようとする課題】
【０００４】
しかしながら、上述した各既定案の技術思想では、この種のコンテンツ取扱い装置（記録再生装置）の共有者間で、予め設定登録した一の者に当該コンテンツに関する管理情報の設定や変更をする権利を持たせるというのがその原則になっている。このため、該権利者たる一の者と他の者とが調和的に意思の疎通を図りながら、折角取得したコンテンツを平等に享受し、管理しようとしても、この技術に従う限りそれは適わない。
【０００５】
本発明は上述のような問題に鑑みてなされたものであり、この種のコンテンツ取扱い装置（記録再生装置）の共有者の間で調和的に意思の疎通を図りながら取得したコンテンツを平等に享受し、管理することができるコンテンツ取扱い装置および方法を提供することを目的としている。
【課題を解決するための手段】
【０００６】
上記課題を解決するべく、本願では次に列記するような技術を提案する。
（１）コンテンツに対する記録および再生並びにその他の所定の取扱い操作が可能なコンテンツ取扱い装置であって、適用された情報記録媒体にコンテンツを記録させるコンテンツ記録制御部と、当該情報記録媒体に記録されたコンテンツを選択的に再生するためのコンテンツ再生制御部と、記録されたコンテンツ毎に対応させてユーザが音声と映像を含むメッセージである音声・映像メッセージを形成して記録する操作を行うための音声・映像メッセージ記録操作部と、当該情報記録媒体に記録されている複数のコンテンツのうち取り扱う対象とする一のものを特定するコンテンツ特定操作によって特定された当該一のコンテンツに対応して記録されている音声・映像メッセージを再生する操作を行うためのメッセージ再生操作部とを備え、前記メッセージ記録操作部は同一のコンテンツに対して異なる時刻に各別の音声・映像メッセージを追加的に記録可能に該当する機能部を制御するものであり、前記メッセージ再生操作部は同一のコンテンツに対応して記録されている複数の音声・映像メッセージを所定の操作に応じて順次に提示可能に該当する機能部を制御するものであることを特徴とするコンテンツ取扱い装置。
【０００７】
上記（１）のコンテンツ取扱い装置では、適用された情報記録媒体にコンテンツ記録制御部の制御下で例えば放送受信部で受信する等して取得される放送等のコンテンツを記録させる。この情報記録媒体に記録されたコンテンツをコンテンツ再生制御部の制御下で選択的に再生する。メッセージ記録操作部により、記録されたコンテンツ毎にユーザの操作に基づいて形成される音声と映像を含むメッセージである音声・映像メッセージを各対応させて記録する操作を行う。
【０００８】
メッセージ再生操作部によって、当該情報記録媒体に記録されている複数のコンテンツのうち取り扱う対象とする一のものを特定するコンテンツ特定操作によって特定された当該一のコンテンツに対応して記録されている音声・映像メッセージを再生する操作を行う。
茲に、メッセージ記録操作部は、同一のコンテンツに対して異なる時刻に各別の音声・映像メッセージを追加的に可能なように該当する機能部を制御し、且つ、前記メッセージ再生操作部は、同一のコンテンツに対応して記録されている複数の音声・映像メッセージを所定の操作に応じて順次に提示可能なように該当する機能部を制御する。
【０００９】
複数のユーザは、各自がメッセージ記録操作部により記録した音声・映像メッセージを、このメッセージ再生操作部の作用で再生して視聴し、お互いの状況等を音声・映像メッセージに基づいて十分なリアリティーを伴って認識することができ、このような認識による相互理解の下にコンテンツを取扱うことができることになる。
【００１０】
（２）前記メッセージ記録操作部は、適用された表示器の画面に、記録されたコンテンツ毎に音声・映像メッセージの記録操作を含む取扱い操作の案内表示を行うように、且つ、該案内表示に対応して実行される音声・映像メッセージの記録操作に応答して当該記録操作に係る音声・映像メッセージを当該情報記録媒体に記録するように該当する機能部を制御することを特徴とする（１）に記載のコンテンツ取扱い装置。
【００１１】
上記（２）のコンテンツ取扱い装置では、上記（１）のコンテンツ取扱い装置における作用において特に、適用された表示器の画面に、記録されたコンテンツ毎に音声・映像メッセージの記録操作を含む取扱い操作の案内表示を行うように、且つ、該案内表示に対応して実行される音声・映像メッセージの記録操作に応答して当該記録操作に係る音声・映像メッセージを当該情報記録媒体に記録する。ユーザは案内表示に従って容易に音声・映像メッセージの記録操作を行うことができる。
【００１２】
（３）前記メッセージ記録操作部は、コンテンツを表すコンテンツデータと、ユーザが撮像手段によって取得した映像信号および音声信号形成手段によって取得した音声信号によって形成される音声・映像メッセージデータとを、同一の情報記録媒体に、選択的に切り換えて記録する被記録データ切換え部を備えていることを特徴とする（１）に記載のコンテンツ取扱い装置。
【００１３】
上記（３）のコンテンツ取扱い装置では、上記（１）のコンテンツ取扱い装置における作用において特に、コンテンツを表すコンテンツデータと音声・映像メッセージデータとは、被記録データ切換え部によって同一の情報記録媒体に、選択的に切り換えて記録される。コンテンツとそれに関連する音声・映像メッセージとが同一の情報記録媒体に記録されるため、両者の対応関係を維持し易い。
【００１４】
（４）前記メッセージ記録操作部は、前記案内表示として、コンテンツ毎に音声・映像メッセージを記録する操作の案内表示と共に当該コンテンツの再生操作および消去操作の案内表示を行うように該当する機能部を制御することを特徴とする（２）に記載のコンテンツ取扱い装置。
【００１５】
上記（４）のコンテンツ取扱い装置では、上記（２）のコンテンツ取扱い装置における作用において特に、ユーザは音声・映像メッセージを記録する操作の他にも、当該コンテンツの再生操作および消去操作を案内表示に従って的確に行うことができる。
【００１６】
（５）前記メッセージ記録操作部は、前記案内表示として、コンテンツ毎に音声・映像メッセージを記録する操作の案内表示では、当該記録の開始前には音声・映像メッセージの記録動作開始までの時間を表示し、当該記録動作の開始後には音声・映像メッセージの記録動作終了までの時間を表示するように該当する機能部を制御することを特徴とする（２）に記載のコンテンツ取扱い装置。
【００１７】
上記（５）のコンテンツ取扱い装置では、上記（２）のコンテンツ取扱い装置における作用において特に、ユーザは、音声・映像メッセージの記録動作開始までの時間や、この記録動作終了までの時間の案内表示に合わせてメッセージを口述するタイミングを計ることができ、容易且つ的確に音声・映像メッセージを記録する操作を行うことができる。
【００１８】
（６）前記コンテンツ再生制御部は、適用された情報記録媒体に記録されている複数のコンテンツを一画面内に夫々代表的に表示すると共に、該夫々の代表的表示毎に音声・映像メッセージの有無を付帯表示するように該当する機能部を制御することを特徴とする（１）に記載のコンテンツ取扱い装置。
【００１９】
上記（６）のコンテンツ取扱い装置では、上記（１）のコンテンツ取扱い装置における作用において特に、ユーザは、複数のコンテンツが一画面内に夫々代表的に表示されたものについての付帯表示を目安に音声・映像メッセージの有無を簡単明瞭に認識できる。
【００２０】
（７）適用した情報記録媒体にコンテンツを記録するコンテンツ記録処理と、当該情報記録媒体に記録したコンテンツを選択的に再生するコンテンツ再生処理と、記録したコンテンツ毎にユーザの入力操作に基づく音声と映像を含むメッセージである音声・映像メッセージを対応させて記録するメッセージ記録処理と、当該情報記録媒体に記録されている複数のコンテンツのうち取り扱う対象とする一のものを特定するコンテンツ特定操作によって特定された当該一のコンテンツに対応して記録されている音声・映像メッセージを再生するメッセージ再生処理と、の各処理を実行することを特徴とするコンテンツ取扱い方法。
【００２１】
上記（７）のコンテンツ取扱い方法では、コンテンツ記録処理で、適用した情報記録媒体にコンテンツを記録し、コンテンツ再生処理では、当該情報記録媒体に記録したコンテンツを選択的に再生し、メッセージ記録処理で、入力操作に基づく音声と映像を含むメッセージである音声・映像メッセージを対応させて記録し、メッセージ再生処理では、当該情報記録媒体に記録されている複数のコンテンツのうち取り扱う対象とする一のものを特定するコンテンツ特定操作によって特定された当該一のコンテンツに対応して記録されている音声・映像メッセージを再生する。複数のユーザは、他のユーザがメッセージ記録処理で記録した音声・映像メッセージを、このメッセージ再生処理で再生して視聴し、お互いの状況等を音声・映像メッセージに基づいて十分なリアリティーを伴って認識することができ、このような認識による相互理解の下にコンテンツを取扱うことができることになる。
【００２２】
（８）前記メッセージ記録処理では、同一のコンテンツに対して異なる時刻に各別の音声・映像メッセージを追加的に記録することを特徴とする（７）に記載のコンテンツ取扱い方法。
【００２３】
上記（８）のコンテンツ取扱い方法では、（７）のコンテンツ取扱い方法による作用において特に、複数のユーザは、同一のコンテンツに対する異なる時刻での各別の音声・映像メッセージに基づいて、時間差を持ちながらも対話形式で意思の疎通を図り、相互理解の下にコンテンツを取扱うことができることになる。
【００２４】
（９）前記メッセージ再生処理では、同一のコンテンツに対応して記録されている複数の音声・映像メッセージを所定の操作に応じて順次に提示することを特徴とする（７）に記載のコンテンツ取扱い方法。
【００２５】
上記（９）のコンテンツ取扱い方法では、（７）のコンテンツ取扱い方法による作用において特に、複数のユーザは、同一のコンテンツに関係する他のユーザの状況や、当該コンテンツに対する関係者の状況の推移を知ることができ、そのコンテンツに関係する認識を深めることができる。
【００２６】
（１０）前記メッセージ記録処理では、適用された表示器の画面に、記録されたコンテンツ毎に音声・映像メッセージの記録操作を含む取扱い操作の案内表示を行い、且つ、該案内表示に対応して実行される音声・映像メッセージの記録操作に応答して当該記録操作に係る音声・映像メッセージを当該情報記録媒体に記録することを特徴とする（７）に記載のコンテンツ取扱い方法。
【００２７】
上記（１０）のコンテンツ取扱い方法では、（７）のコンテンツ取扱い方法による作用において特に、適用された表示器の画面に、記録されたコンテンツ毎に音声・映像メッセージの記録操作を含む取扱い操作の案内表示を行うように、且つ、該案内表示に対応して実行される音声・映像メッセージの記録操作に応答して当該記録操作に係る音声・映像メッセージを当該情報記録媒体に記録する。ユーザは案内表示に従って容易に音声・映像メッセージの記録操作を行うことができる。
【００２８】
（１１）前記メッセージ記録処理では、コンテンツを表すコンテンツデータと、ユーザが撮像手段によって取得した映像信号および音声信号形成手段によって取得した音声信号によって形成される音声・映像メッセージデータとを、同一の情報記録媒体に、選択的に切り換えて記録することを特徴とする（７）に記載のコンテンツ取扱い方法。
【００２９】
上記（１１）のコンテンツ取扱い方法では、（７）のコンテンツ取扱い方法による作用において特に、同一の情報記録媒体に、選択的に切り換えて、コンテンツを表すコンテンツデータと、ユーザが撮像手段によって取得した映像信号および音声信号形成手段によって取得した音声信号によって形成される音声・映像メッセージデータとが記録される。コンテンツとそれに関連する音声・映像メッセージとが同一の情報記録媒体に記録されるため、両者の対応関係を維持し易い。
【００３０】
（１２）前記メッセージ記録処理では、前記案内表示として、コンテンツ毎に音声・映像メッセージを記録する操作の案内表示と共に当該コンテンツの再生操作および消去操作の案内表示を行うことを特徴とする（１０）に記載のコンテンツ取扱い方法。
【００３１】
上記（１２）のコンテンツ取扱い方法では、（１０）のコンテンツ取扱い方法による作用において特に、ユーザは音声・映像メッセージを記録する操作の他にも、当該コンテンツの再生操作および消去操作を案内表示に従って的確に行うことができる。
【００３２】
（１３）前記メッセージ記録処理では、コンテンツ毎に音声・映像メッセージを記録する操作の前記案内表示として、当該記録の開始前には音声・映像メッセージの記録動作開始までの時間を表示し、当該記録動作の開始後には音声・映像メッセージの記録動作終了までの時間を表示することを特徴とする（１０）に記載のコンテンツ取扱い方法。
【００３３】
上記（１３）のコンテンツ取扱い方法では、（１０）のコンテンツ取扱い方法による作用において特に、ユーザは、音声・映像メッセージの記録動作開始までの時間や、この記録動作終了までの時間の案内表示に合わせてメッセージを口述するタイミングを計ることができ、容易且つ的確に音声・映像メッセージを記録する操作を行うことができる。
【００３４】
（１４）前記コンテンツ再生処理では、適用された情報記録媒体に記録されている複数のコンテンツを一画面内に夫々代表的に表示すると共に、該夫々の代表的表示毎に音声・映像メッセージの有無を付帯表示することを特徴とする（７）に記載のコンテンツ取扱い方法。
【００３５】
上記（１４）のコンテンツ取扱い方法では、（７）のコンテンツ取扱い方法による作用において特に、ユーザは、複数のコンテンツが一画面内に夫々代表的に表示されたものについての付帯表示を目安に音声・映像メッセージの有無を簡単明瞭に認識できる。
【００３６】
（１５）前記複数の音声・映像メッセージの所定の操作に応じての順次の提示に際して、当該各順次の提示の冒頭ではメッセージ映像の先頭部分のフレームによる静止画表示を行い、ユーザによる動画表示の開始操作を俟って動画映像表示に移行する（９）に記載のコンテンツ取扱い方法。
【００３７】
上記（１５）のコンテンツ取扱い方法では、（９）のコンテンツ取扱い方法による作用において特に、前記複数の音声・映像メッセージの当該各順次の提示の冒頭ではメッセージ映像の当初のフレームによる静止画表示を行い、ユーザによる動画表示の開始操作を俟って動画映像表示に移行する。このため、ユーザは、各順次の音声・映像メッセージの冒頭ではメッセージ映像の先頭部分のフレームによる静止画表示を見るだけで、音声・映像メッセージの記録期間の全体に亘って再生し視聴することの要否を判断でき、視聴を必要とする音声・映像メッセージを選別する際の煩雑さが低減する。
【発明を実施するための最良の形態】
【００３８】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのコンテンツ取扱い装置を表すブロック図である。図１のコンテンツ取扱い装置１００は、一般的なＨＤＤ／ＤＶＤレコーダと同様に、記録系の構成として、アンテナ１１１やケーブル（不図示）を経て放送受信部１１２で受信された放送コンテンツは、後述する被記録データ切換え部１１３を介して、そのコンテンツの映像・音声をデジタル化するＡ／Ｄ変換部１１４、このＡ／Ｄ変換部１１４でデジタル化された映像・音声をＭＰＥＧ２圧縮する映像・音声圧縮部１１５を備えている。
【００３９】
更に、映像・音声圧縮部１１５で圧縮されたコンテンツ（映像・音声）や後述する音声・映像メッセージやその他の情報を格納する、例えばＨＤＤやＤＶＤ駆動装置を含んで構成される映像・音声記録部１１６が設けられている。
また、再生系は、映像・音声記録部１１６に格納されている情報（ＭＰＥＧ２圧縮されたデータ）をＭＰＥＧ２伸張する映像・音声伸長部１２１、この映像・音声伸長部１２１でＭＰＥＧ２伸長されたデジタルデータをアナログ映像・音声信号に変換するＤ／Ａ変換部１２２を含んで構成され、放送コンテンツの録画・再生動作を可能にしている。Ｄ／Ａ変換部１２２の出力は、例えば外部のテレビジョン受像機２００等の表示装置に供給され、ここで映像・音声、並びに、後述する音声・映像メッセージやその他の情報が映像表示乃至発音出力される。
【００４０】
一方、リモコン受光部１３１はリモートコントローラ（以下、リモコン）１３０を通してのユーザからのリモコン操作指令を受信し、該受信したリモコン操作指令を、マイクロプロセッサを主体に構成されたシステムコントローラ１５０に伝送する。システムコントローラ１５０はユーザからの操作指令に応じた所定の制御動作を実行すると共に、本コンテンツ取扱い装置１００の系全体を統括的に制御する。
【００４１】
被記録データ切換え部１１３の入力側には、既述の放送受信部１１２の出力である放送コンテンツのデータの他に、これと並行して、ユーザが用いる撮像手段としてのカメラ１６０および音声信号形成手段としてのマイクロフォン１７０の各出力である映像信号および音声信号（両者の信号による音声・映像メッセージの信号）が供給されている。被記録データ切換え部１１３はシステムコントローラ１５０の管理下でこれらの入力のうちからコンテンツのデータまたは音声・映像メッセージの信号を選択的に切換えて後段のＡ／Ｄ変換部１１４に供給する。
【００４２】
既述の通り、Ａ／Ｄ変換部１１４の出力側のデジタル化された映像・音声データは、映像・音声圧縮部１１５を通して映像・音声記録部１１６に記録される。即ち、コンテンツを表すコンテンツデータと音声・映像メッセージデータとは、被記録データ切換え部によって同一の情報記録媒体に、選択的に切り換えて記録される。コンテンツとそれに関連する音声・映像メッセージとが同一の情報記録媒体に記録されるため、両者の対応関係を維持し易い。
【００４３】
システムコントローラ１５０は、自己の該当する機能部とこの機能部に関連する本コンテンツ取扱い装置１００内の該当する機能部との連携によって、適用された情報記録媒体にコンテンツを記録させるコンテンツ記録制御部を構成し、また、当該情報記録媒体に記録されたコンテンツを選択的に再生するためのコンテンツ再生制御部を構成し、更に、記録されたコンテンツ毎に対応させてユーザがカメラ１６０とマイクロフォン１７０を用いて音声・映像メッセージを形成して記録する操作を行うための音声・映像メッセージ記録操作部を構成し、更にまた、当該情報記録媒体に記録されている複数のコンテンツのうち取り扱う対象とする一のものを特定するコンテンツ特定操作によって特定された当該一のコンテンツに対応して記録されている音声・映像メッセージを再生する操作を行うためのメッセージ再生操作部を構成する。
【００４４】
本発明の実施の形態では、メッセージ記録操作部は同一のコンテンツに対して異なる時刻に各別の音声・映像メッセージを追加的に記録可能に該当する機能部を制御し、また、メッセージ再生操作部は同一のコンテンツに対応して記録されている複数の音声・映像メッセージを所定の操作に応じて順次提示可能に該当する機能部を制御する。より具体的には、図面を参照して後述する。
【００４５】
複数のユーザは、各自がメッセージ記録操作部により記録した音声・映像メッセージによるメッセージを、このメッセージ再生操作部の作用で再生して視聴し、お互いの心積もり等を音声・映像メッセージに基づいて十分なリアリティーを伴って認識することができ、このような認識による相互理解の下にコンテンツを取扱うことができることになる。
図２は、図１のコンテンツ取扱い装置におけるユーザインターフェイス機能を説明するための図である。
【００４６】
図２（ａ）は図１のコンテンツ取扱い装置１００によって表示装置としてのテレビジョン受像機２００の画面に映出されるコンテンツナビゲーション機能のユーザインターフェイス画面を表す図である。図示されたところから理解される通り、上述のコンテンツ再生制御部は、適用された情報記録媒体に記録されている複数のコンテンツを一画面内に夫々代表的に表示すると共に、該夫々の代表的表示毎に音声・映像メッセージの有無を付帯表示するように該当する機能部を制御する。ユーザは、複数のコンテンツが一画面内に夫々代表的に表示されたものについての付帯表示を目安に音声・映像メッセージの有無を簡単明瞭に認識できる。
【００４７】
図２（ａ）において、画面上に表示される６つの録画されたコンテンツはそれぞれに番組名やジャンル名といった付帯情報を伴っており、一例として音声・映像メッセージの件数が表示されている。ユーザは、複数のコンテンツが一画面内に夫々代表的に表示されたものについてのこの付帯表示を目安に音声・映像メッセージの有無とその件数を簡単明瞭に認識できる。
【００４８】
ここで、リモコン操作（例えばリモコン１３０の選択操作部に対する操作）により、ドラマＡが選択された場合には、図２（ｂ）の表示へ移行する。このメニュー表示は、ドラマＡに対して選択的に実行可能な操作の一覧である。図２（ｂ）のように、ドラマＡに対して「番組再生」、「番組消去」、「番組名の変更」、「メッセージ登録」の各操作が有効に受け付けられ得る状態にある。メッセージ件数が０であるため、「メッセージ再生」については無効の表示になっている。
【００４９】
音声・映像メッセージを登録する場合には図２（ｃ）のように「メッセージ登録」の表示にカーソルを移動してこれを選択する。図示のように、この選択がされた機能が反転表示される。また、図２（ｃ）の状態でも、図示のように、「メッセージ登録」の他にも「番組再生」、「番組消去」、「番組名の変更」等々を選択可能になされている。ユーザは音声・映像メッセージを記録する操作の他にも、当該コンテンツ（番組）の再生操作および消去操作を案内表示に従って的確に行うことができる。
【００５０】
即ち、この実施の形態のコンテンツ取扱い装置では、特に、適用された表示器（テレビジョン受像機２００）の画面に、記録されたコンテンツ（図２では、Ａ，Ｂ，Ｃ，Ｄ，Ｅ，Ｆ）毎に音声・映像メッセージの記録操作を含む取扱い操作の案内表示がなされる。
ユーザが、この取扱い操作の案内表示に即して、音声・映像メッセージの記録操作を行うと、この記録操作に係る音声・映像メッセージが当該情報記録媒体（映像・音声記録部１１６に適用された例えばＤＶＤ等）に記録される。このように、ユーザは案内表示に従って容易に音声・映像メッセージの記録操作を行うことができる。
【００５１】
図３は、図１のコンテンツ取扱い装置における音声・映像メッセージ登録のためのユーザインターフェイスを説明するための図である。
図３（ａ）は、ユーザが用いる撮像手段としてのカメラ１６０および音声信号形成手段としてのマイクロフォン１７０は既に動作状態にあり、音声・映像メッセージの登録操作を待つ、所謂スタンバイ状態にあるときのテレビジョン受像機２００等の表示装置の画面における表示を表す。図３（ａ）の状態でリモコン１３０などから録画開始の操作が行われると図３（ｂ）の画面表示に移行して、録画開始までの時間が「３秒，２秒，１秒」と表示される。
【００５２】
メッセージを登録するユーザはこの表示を目安にして準備を行えるようになっている。録画が開始されると図３（ｃ）の画面表示となる。今度は録画終了までの時間が表示される。ユーザはこの間にカメラ１６０とマイクロフォン１７０に向かってメッセージを吹き込むことになる。
このように、本実施の形態では、メッセージ記録処理において、コンテンツ毎に音声・映像メッセージを記録する操作の前記案内表示として、メッセージ記録の開始前には音声・映像メッセージの記録動作開始までの時間が表示され、当該記録動作の開始後には音声・映像メッセージの記録動作終了までの時間が表示される。
【００５３】
このため、ユーザは、音声・映像メッセージの記録動作開始までの時間や、この記録動作終了までの時間の案内表示に合わせてメッセージを口述したり、ジェスチャーのための姿勢や表情を準備したりするタイミングを計ることができ、容易且つ的確に音声・映像メッセージを記録する操作を行うことができる。
音声・映像メッセージの記録が完了すると図３（ｄ）の画面表示になり、先ほど記録したメッセージが再生されユーザは意図したとおりに記録が行われたかを確認することができる。
【００５４】
このような確認再生が終了すると図３（ｅ）の画面表示となる。記録が意図に叶わず失敗していれば「やり直し」ボタンを選択することによって図３（ａ）の画面からやり直すことができる。更にもう１件メッセージを登録したければ「録画開始」ボタンを選択すればよい。「戻る」ボタンを選択すれば図２（ａ）のコンテンツナビゲーション画面へ復帰することができる。
【００５５】
図４は、図１のコンテンツ取扱い装置におけるコンテンツの再生機能に関するユーザインターフェイスを説明するための図である。
図４（ａ）はコンテンツナビゲーション機能のユーザインターフェイス画面を表わしている。画面上に表示される６つの録画されたコンテンツはそれぞれに番組名やジャンル名といった付帯情報が対応しており、その一つとしてメッセージ件数情報が表示されている。
【００５６】
リモコン１３０の選択操作部に対する操作により、例えばバラエティーＣが選択されると、図４（ｂ）のような画面表示へ移行する。このメニュー表示はバラエティーＣに対して行える操作の一覧である。ここでは「番組再生」、「番組消去」、「番組名の変更」、「メッセージ登録」の各操作が有効に受け付けられ得る状態にある。更に、メッセージ映像（動画）が登録されているので「メッセージ再生」メニューが有効化されている。メッセージ動画を再生する場合には図４（ｃ）のように「メッセージ再生」を選択する。因みに、「番組消去」を選択した場合には、該当する番組（コンテンツ）とこれに対応する音声・映像メッセージとが一括消去され、対応するコンテンツの存在しないメッセージだけが残されるといった不都合が生じないようにされている。
【００５７】
図５は、図１のコンテンツ取扱い装置における音声・映像メッセージの再生・消去のためのユーザインターフェイスを説明するための図である。図５（ａ）の画面ではメッセージ動画の最初のフレームが静止画表示されている。ここで「再生開始」ボタンを選択すると、図５（ｂ）に表すような画面が表示され、記録されている音声・映像メッセージが再生される。
【００５８】
この再生中に「再生停止」ボタンを選択すると、音声・映像メッセージの再生が停止する。図５（ｃ）は一つのコンテンツに複数のメッセージ動画が登録されている場合の画面表示の例を表す。図５（ｃ）の表示にあるときに「次へ」ボタンを選択すると、図５（ｄ）の画面のように２件目のメッセージ映像（動画）の最初のフレームが静止画で表示される。更に「次へ」ボタンを選択すると、３件目のメッセージ映像（動画）の最初のフレームが静止画で表示され、以下同様にして音声・映像メッセージをこの操作に応じて順次に提示させることが可能である。
【００５９】
この図５（ｄ）の画面の状態にあるときにも、図５（ａ）および図５（ｂ）の画面の状態にあるときと同様に、夫々「再生開始」「再生停止」のボタン操作が可能である。図５（ｅ）はメッセージ映像（および音声）の消去操作の画面表示の例を表す。図５（ｅ）の表示で「消去」ボタンを選択すると、静止画表示によって代表されている音声・映像メッセージに関して「メッセージを消去しますか？」という確認表示がされる。ここで「はい」を選択するとメッセージ動画が消去される。
【００６０】
尚、図５（ｅ）の案内表示に基づいての「消去」は、専ら、音声・映像メッセージ自体に限っての消去であり、これに対応するコンテンツ（番組）の消去は、図４を参照して説明したようにして、別途の操作を俟って実行されることになる。この場合、コンテンツ（番組）の消去は、これに対応するものとして記録されている音声・映像メッセージの消去を伴って実行されることは既述の通りである。
【００６１】
上述のように、複数の音声・映像メッセージの当該各順次の提示の冒頭ではメッセージ映像の当初のフレームによる静止画表示を行い、ユーザによる動画表示の開始操作を俟って動画映像表示に移行する。これは消去の対象とする音声・映像メッセージの選択操作についても同様である。このため、ユーザは、各順次の音声・映像メッセージの冒頭ではメッセージ映像の先頭部分のフレームによる代表としての静止画表示を見るだけで、音声・映像メッセージの記録期間の全体に亘って再生し視聴し乃至は消去することの要否を判断でき、対象とする音声・映像メッセージを選別する際の煩雑さが低減する。
【００６２】
以上を総じて、本発明の実施の形態では、複数のユーザは、各自がメッセージ記録処理で記録した音声・映像メッセージを、メッセージ再生処理で再生して視聴し、お互いの状況等を音声・映像メッセージに基づいて十分なリアリティーを伴って認識することができ、このような認識による相互理解の下にコンテンツを取扱うことができることになる。
【図面の簡単な説明】
【００６３】
【図１】本発明の実施の形態としてのコンテンツ取扱い装置を表すブロック図である。
【図２】図１のコンテンツ取扱い装置におけるユーザインターフェイス機能を説明するための図である。
【図３】図１のコンテンツ取扱い装置における音声・映像メッセージ登録のためのユーザインターフェイスを説明するための図である。
【図４】図１のコンテンツ取扱い装置におけるコンテンツの再生機能に関するユーザインターフェイスを説明するための図である。
【図５】図１のコンテンツ取扱い装置における音声・映像メッセージの再生・消去のためのユーザインターフェイスを説明するための図である。
【符号の説明】
【００６４】
１００…コンテンツ取扱い装置  １１１…アンテナ  １１２…放送受信部  １１３…被記録データ切換え部  １１４…Ａ／Ｄ変換部  １１５…映像・音声圧縮部  １１６…映像・音声記録部  １２１…映像・音声伸長部  １２２…Ｄ／Ａ変換部    １３０…リモートコントローラ  １３１…リモコン受光部  １５０…システムコントローラ  １６０…カメラ  １７０…マイクロフォン  ２００…テレビジョン受像機  
【図１】
2006287671.tif 000003
【図２】
2006287671.tif 000004
【図３】
2006287671.tif 000005
【図４】
2006287671.tif 000006
【図５】
2006287671.tif 000007